(57)【要約】【課題】開封し易く、かつ開封後に被包装物を速やかに取り出すことができるように改良された易開封性包装袋を提供することを目的とする【解決手段】包装袋１は、重ね合わされた一方の側のフィルム２と他方の側のフィルム３とに囲まれて形成された収容部を有する。一方の側のフィルム２には、当該包装袋の幅方向に延びるハーフカット線で形成された複数の開封誘導線６ａ、６ｂ、６ｃが設けられ、他方の側のフィルム３には、当該包装袋の幅方向に延びるハーフカット線で形成された１本又は複数の開封誘導線７ａ、７ｂが設けられている。上記重ね合わせ方向の投影において、一方の側のフィルム２に設けられた複数の開封誘導線６ａ、６ｂ、６ｃと他方の側のフィルム３に設けられた１本又は複数の開封誘導線７ａ、７ｂは重ならないように配列されている。【選択図】図１
2016222251.tif 000002
【特許請求の範囲】
【請求項１】
重ね合わされた一方の側のフィルムと他方の側のフィルムとに囲まれて形成された収容部を有する包装袋において、
前記一方の側のフィルムには、当該包装袋の幅方向に延びるハーフカット線で形成された複数の開封誘導線が設けられ、
前記他方の側のフィルムには、当該包装袋の幅方向に延びるハーフカット線で形成された１本又は複数の開封誘導線が設けられ、
前記重ね合わせ方向の投影において、一方の側のフィルムに設けられた前記複数の開封誘導線と他方の側のフィルムに設けられた前記１本又は複数の開封誘導線は重ならないように配列されていることを特徴とする包装袋。
【請求項２】
前記一方の側に設けられた複数の開封誘導線と前記他方の側に設けられた複数の開封誘導線は、それぞれ両端部において１本に収束している請求項１に記載の包装袋。
【請求項３】
前記複数の開封誘導線は、前記両端部から中央に向かって、上記幅方向と直交する下方向に膨らむ軌跡で描画されている請求項１又は２に記載の包装袋。
【請求項４】
前記一方の側のフィルム及び他方の側のフィルムは、表層／接着層／中間層／シール層の積層構造を有し、前記シール層が内側になるようにシールされており、
前記開封誘導線は、レーザ加工によって前記表層側からハーフカットすることによって形成されている、請求項１〜３のいずれか１項に記載の包装袋。
【発明の詳細な説明】
【技術分野】
【０００１】
本発明は一般に包装袋に関するものであり、より特定的には、開封し易く、かつ開封後に被包装物を速やかに取り出すことができるように改良された易開封性包装袋に関する。
【背景技術】
【０００２】
図７（Ａ）に示すように、従来から使用されている食品包装用袋２３は、再封止手段であるチャック２９を有する袋（チャックを合わせて端から軽くおさえて閉める袋）である。４辺が熱シールされ、重ね合わされた一方の側のフィルムと他方の側のフィルムとに囲まれた収容部に、被包装物である例えば粉末カレーなどの内容物２４が密封される。開封しやすいように、一方の側のフィルムと他方の側のフィルムに、幅方向に延びる開封誘導線２５が入れられている。
【発明の概要】
【発明が解決しようとする課題】
【０００３】
しかし、図７（Ａ）（Ｂ）を再び参照して、開封誘導線２５は、高さ方向において表も裏も同じ位置に入れられていたので、開封後においても、取り出し口２６が塞がれた状態で、切り口の端を指でつまむことができない。ひいてはチャック２９を開け難く、内容物２４を取り出し難いという問題点があった。
【０００４】
この発明は、上記のような課題を解決するためになされたもので、切り口の端を指で容易につまむことができ、ひいては開封し易い包装袋を提供することを目的とする。
【課題を解決するための手段】
【０００５】
本発明は、重ね合わされた一方の側のフィルムと他方の側のフィルムとに囲まれて形成された収容部を有する包装袋に係る。上記一方の側のフィルムには、当該包装袋の幅方向に延びるハーフカット線で形成された複数の開封誘導線が設けられている。上記他方の側のフィルムには、当該包装袋の幅方向に延びるハーフカット線で形成された複数の開封誘導線が設けられている。上記重ね合わせ方向の投影において、一方の側のフィルムに設けられた複数の開封誘導線と他方の側のフィルムに設けられた１本又は複数の開封誘導線は、重ならないように配列され、それによって、それぞれの開封誘導線との間に、上記幅方向と直交する高さ方向の間隔をとっている。
【０００６】
上記一方の側のフィルム及び他方の側のフィルムに複数の開封誘導線が設けられているので、切れ易く、ひいては開封し易い。かつ、一方の側のフィルムと他方の側のフィルムとの重ね合わせ方向の投影において、一方の側に設けられた複数の開封誘導線と他方の側に設けられた１本又は複数の開封誘導線は、重ならないように配列され、それによって、それぞれの開封誘導線との間に、上記幅方向と直交する高さ方向の間隔をとっているので、一方の側のフィルムのいずれの開封誘導線が切れても、そして他方の側のフィルムのいずれの開封誘導線が切れても、開封後に、上記幅方向と直交する高さ方向において、一方の側のフィルムの開口端と他方の側のフィルムの開口端との間に段差ができる。
【０００７】
一方の側に設けられた複数の開封誘導線と他方の側に設けられた１本又は複数の開封誘導線は、それぞれ両端部において１本に収束しているのが好ましい。
【０００８】
上記１本又は複数の開封誘導線は、当該包装袋の両端部から中央に向かって、上記幅方向と直交する下方向（チャックに向かう方向）に膨らむ軌跡で、描画されているのが好ましい。そうすることで、袋にフック穴（店頭で吊下げて陳列するためにあけるパンチ穴）をあけた場合、ハーフカット線とパンチ穴が重ならず、袋の自重でパンチ穴と重なっているハーフカット線が破れるというリスクを回避できる。
【０００９】
上記１本に収束した開封誘導線に連なる、切れ目のきっかけを与える切欠き部を有していてもよい。切欠き部の形状は、Iノッチ、Ｖノッチ、亀の甲ノッチなど公知の切欠き部を用いることができる。切欠き部を有する場合、該切欠き部は袋の端部２か所に形成されるのが好ましいが１か所でもよい。
【００１０】
上記一方の側のフィルムと他方の側のフィルムは、表層／接着層／中間層／シール層の積層構造を有し、上記シール層が内側になるように接着されており、それぞれの開封誘導線は、レーザ加工によって上記表層側からハーフカットすることによって形成されているのが好ましい。
【００１１】
上記表層はポリエステル系フィルム又はポリアミド系フィルムで形成されており、上記中間層はアルミ箔で形成されており、上記シール層はポリエチレン系フィルムで形成されているのが好ましい。
【発明の効果】
【００１２】
本発明によれば、それぞれの開封誘導線の間に、上記幅方向と直交する高さ方向に間隔をとっているので、開封後に、高さ方向において一方の側のフィルムの開口端と他方の側のフィルムの開口端との間に段差ができる。その結果、切り口の端を指で容易につまむことができ、ひいては取り出し口を容易に開けて、内容物を取り出すことができる。
【図面の簡単な説明】
【００１３】
【図１】（Ａ）は、本発明の実施例に係る易開封性の包装袋の斜視図であり、（Ｂ）は一方の側から見た正面図であり、（Ｃ）は他方の側から見た正面図である。
【図２】本発明に係る包装袋の開封の動作を説明する図である。
【図３】一方の側のフィルムに形成された複数の開封誘導線と他方の側のフィルムに形成された開封誘導線のさまざまな切れ方を説明する図である。
【図４】開封誘導線を形成するレーザ加工の様子を説明する図である。
【図５】（Ａ）は、本発明の実施例２に係る易開封性の包装袋の斜視図であり、（Ｂ）は一方の側から見た正面図であり、（Ｃ）は他方の側から見た正面図である。
【図６】（Ａ）は、本発明の実施例３に係る易開封性の包装袋の斜視図であり、（Ｂ）は一方の側から見た正面図であり、（Ｃ）は他方の側から見た正面図である。
【図７】（Ａ）従来から使用されている食品包装用袋の概念図であり、（Ｂ）は従来の食品包装用袋の問題点を示す図である。
【発明を実施するための形態】
【００１４】
開封し易く、かつ開封後に被包装物を速やかに取り出すことができるように改良された包装袋を得るという目的を、一方の側のフィルムと他方の側のフィルムのそれぞれに複数の開封誘導線を設け、これらのフィルムの重ね合わせ方向の投影において、一方の側のフィルムに設けられた複数の開封誘導線と他方の側のフィルムに設けられた１本又は複数の開封誘導線を、重ならないように配列し、それによって、それぞれの開封誘導線との間に、上記幅方向と直交する高さ方向に間隔をとることによって実現した。以下、本発明の実施例を、図を用いて説明する。なお、各図中において、同一又は相当する部分には同一の参照番号を付し、その説明を繰り返さない。
【実施例１】
【００１５】
図１（Ａ）、（Ｂ）および（Ｃ）を参照して、包装袋１は、重ね合わされた一方の側のフィルム２と他方の側のフィルム３とに囲まれて形成された収容部に被包装物を収容するものである。包装袋１は、再封止手段であるチャック２９を備える。一方の側のフィルム２には、ハーフカット線で形成された当該包装袋の幅方向に延びる複数の開封誘導線、すなわち第１の開封誘導線６ａと、第１の開封誘導線６ａの両端部から中央に向かって、上記幅方向と直交する下方向に膨らむように迂回するバイパス用の第２開封誘導線６ｂ及び第３の開封誘導線６ｃが並んで設けられている。
【００１６】
他方の側のフィルム３にも複数の開封誘導線、すなわち、ハーフカット線で形成された当該包装袋の幅方向に延びる第４の開封誘導線７ａと、第４の開封誘導線７ａの両端部から中央に向かって、上記幅方向と直交する下方向に膨らむように迂回するバイパス用の第５の開封誘導線７ｂが設けられている。
【００１７】
一方の側のフィルム２と他方の側のフィルム３との重ね合わせ方向の投影において、第４開封誘導線７ａは第１開封誘導線６ａと第２開封誘導線６ｂとの間に割り込み、かつ第５開封誘導線７ｂは第２開封誘導線６ｂと第３開封誘導線６ｃの間に割り込むように、これらの開封誘導線は交互に入り組んでいる。すなわち、それぞれの開封誘導線６ａ、６ｂ、６ｃ、７ａ，７ｂの間に、上記幅方向と直交する高さ方向に間隔をとっている。第１〜第３の開封誘導線は両端部で１本に収束し、第４〜第５の開封誘導線は両端部で１本に収束している。
【００１８】
このような複数の開封誘導線を有する包装袋は、その上端を除き、底部４と側部５，５の３辺が熱シールされる。切れ目のきっかけを与える切欠き部２８が、第１〜第５の開封誘導線６ａ、６ｂ、６ｃ、７ａ，７ｂの端部の収束部に連なって設けられている。
【００１９】
収容部に被包装物を充填して、上端部を熱シールすることにより、被包装物は密封される。
【００２０】
このように構成された包装袋の開封の動作について説明する。
【００２１】
図２（Ａ）を参照して、第１〜第５の開封誘導線６ａ、６ｂ、６ｃ、７ａ，７ｂはいずれも後述するハーフカット線である。一方の側のフィルム２に形成された第１、第２、第３の開封誘導線６ａ、６ｂ、６ｃは、切欠き部２８より切れ目のきっかけが与えられると、そのいずれかが幅方向に切れていく。また他方の側のフィルム３に形成された第４、第５の開封誘導線７ａ、７ｂも、切欠き部２８より切れ目のきっかけが与えられると、そのいずれかが幅方向に切れていく。
【００２２】
図２（Ａ）（Ｂ）に示すように、一方の側のフィルムと他方の側のフィルムとの重ね合わせ方向の投影において、一方の側に設けられた複数の開封誘導線６ａ、６ｂ、６ｃと他方の側に設けられた複数の開封誘導線７ａ，７ｂは、交互に入り組み、それによって、それぞれの開封誘導線の間に、上記幅方向と直交する高さ方向に間隔をとっているので、例えば、第１の開封誘導線６ａと第５の開封誘導線７ｂが切れた場合、開封後に、上記幅方向と直交する高さ方向において、一方側のフィルム２の開口端と他方側のフィルム３の開口端との間に段差ができるようになり、切り口の端を指で容易につまむことができる。ひいては取り出し口８を容易に開けて、チャック２９を開けて内容物を取り出すことができる。第１の開封誘導線６ａと第５の開封誘導線７ｂは左右対称の形状を有するので、両端部に切欠き部２８を設けると、左側から切っても右側から切っても、段差が同じように生じる。
【００２３】
図３（Ａ）は、第１〜第５の開封誘導線６ａ、６ｂ、６ｃ、７ａ，７ｂの部分の拡大図である（実線は手前側、破線である隠れ線は向こう側にあることを表す）。図３（Ｂ）に示すように、第２の開封誘導線６ａと第５の開封誘導線７ａが切れると、また図３（Ｃ）に示すように、第３の開封誘導線６ｃと第４の開封誘導線７ａが切れると、段差ができる。図３（Ｄ）は、切れ方の組み合わせを説明する図である。
【００２４】
すなわち、本発明によれば、開封誘導線が従来のように１本ではなく複数本設けることにより、１本の場合に比べて、より切れ易くし、そして、その切れ方を、図３（Ｄ）に示すように、６ａと７ａ、６ｂと７ａ、６ｃと７ａ、６ａと７ｂ、６ｂと７ｂ、６ｃと７ｂの複数の組み合わせ（実施例では６通り）にし、いずれの組み合わせで切れても、一方側のフィルムの開口端と他方側のフィルムの開口端との間に段差ができるように構成しているのである。
【００２５】
図４は、レーザ加工の様子を示す、多層積層フィルムの断面図である。多層積層フィルムは、表層１７／接着層２７／中間層１８／シール層１９からなる。開封誘導線６ａ、６ｂ、６ｃ、７ａ、７ｂのそれぞれは、レーザ加工で表層側からハーフカットされ、表層１７のみに形成される。これによってハーフカット線が形成される。
【００２６】
なお、表層１７はポリエステル系フィルム又はポリアミド系フィルムで形成されるのが好ましいが、これに限定されるものではない。表層１７の厚みはポリエステルの場合１２〜２５μｍ、ポリアミドの場合１５μｍである。中間層１８はアルミ（ＡＬ）箔で形成されるのが好ましい。中間層１８の厚みは７μｍである。シール層１９の厚みは４０〜７０μｍである。シール層１９は、後述する熱シールするためのものであり、ポリプロピレン
系フィルム又はポリエチレン系フィルムで形成されるのが好ましい。
【実施例２】
【００２７】
なお、上記実施例では、一方の側のフィルムに設けられた複数の開封誘導線が３本、他方の側のフィルムに設けられた複数の開封誘導線が２本の場合を例示したが、この発明は、この本数に限られるものでない。すなわち、図５（Ａ）（Ｂ）（Ｃ）に示すように、他方の側に形成される開封誘導線７ａが図のように１本の場合であってもよく、このような構成であっても、一方側のフィルムの開口端と他方側のフィルムの開口端との間に段差ができる。
【実施例３】
【００２８】
上記実施例では、一方の側のフィルムに設けられた複数の開封誘導線と他方の側のフィルムに設けられた複数の開封誘導線が投影方向において重ならないように配列される態様として、交互に入り組んでいる場合を例示したが、この発明はこれに限られるものでなく、図６（Ａ）（Ｂ）（Ｃ）に示すように、一方の側のフィルム２に設けられた複数の開封誘導線６ａ、６ｂの間に、他方の側のフィルムに設けられた複数の開封誘導線７ａ、７ｂの双方が割り込むような構成であってもよい。このような構成であっても、一方側のフィルムの開口端と他方側のフィルムの開口端との間に段差ができる。
【００２９】
なお、本発明は、開封誘導線の下に位置する部分に、再封止手段を有する袋に有効であるが、これに限られるものでない。
【００３０】
また、当該包装袋はピロー袋又はガゼット袋であってもよい。
【００３１】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３２】
本発明によれば、開封し易く、かつ開封後に被包装物を速やかに取り出すことができる易開封性包装袋が得られる。
【符号の説明】
【００３３】
１  包装袋
２  一方の側のフィルム
３  他方の側のフィルム
４  底部
５  側部
６ａ  第１の開封誘導線
６ｂ  第２の開封誘導線
６ｃ  第３の開封誘導線
７ａ  第４の開封誘導線
７ｂ  第５の開封誘導線
８  取り出し口
１７  表層
１８  中間層
１９  シール層
２３  食品包装用袋
２４  内容物
２５  開封誘導線
２６  取り出し口
２７  接着層
２８  切欠き部
２９  チャック
【図２】
2016222251.tif 000003
【図３】
2016222251.tif 000004
【図４】
2016222251.tif 000005
【図７】
2016222251.tif 000006
【図１】
2016222251.tif 000007
【図５】
2016222251.tif 000008
【図６】
2016222251.tif 000009